(57)【要約】      （修正有）【課題】自動販売機でのモバイル決済を可能とする回路基板、自動販売機、および自動販売システムを提供する。【解決手段】回路基板は、主制御モジュール１００と、ＵＬＮ２００３ＡＤＲチップ及びＪＶＡＭインターフェースを採用し、主制御モジュールに接続され、端末と通信して端末に指令を送信する第１通信モジュール１１０と、ＡＤＭ２０２Ｅチップ及びＲＳ２３２インターフェースを採用し、主制御モジュールに接続され、マスターコンピュータ及び端末と通信して、端末の情報をマスターコンピュータに送信する第２通信モジュール１２０と、を含む。【選択図】図１
0003232330.tif 000002
【実用新案登録請求の範囲】
【請求項１】
主制御モジュールと、
前記主制御モジュールに接続されており、端末と通信して指令を端末に送信する第１通信モジュールと、
前記主制御モジュールに接続されており、マスターコンピュータ及び端末と通信して、端末の情報をマスターコンピュータに送信する第２通信モジュールと
を含むことを特徴とする回路基板。
【請求項２】
前記主制御モジュールに接続されており、端末の作動状態を表示する指示灯モジュールを更に含むことを特徴とする、請求項１に記載の回路基板。
【請求項３】
前記主制御モジュールに接続されており、端末の停止及び始動ををトリガするボタンモジュールを更に含むことを特徴とする、請求項２に記載の回路基板。
【請求項４】
前記主制御モジュールに接続されており、端末の作動状態の変化時に音声提示を行う音声提示モジュールを更に含むことを特徴とする、請求項３に記載の回路基板。
【請求項５】
前記主制御モジュールに接続されており、前記主制御モジュールにクロック信号を提供するクロックモジュールを更に含むことを特徴とする、請求項１に記載の回路基板。
【請求項６】
前記主制御モジュールに接続されており、前記主制御モジュールのデータ情報を記憶する記憶モジュールを更に含むことを特徴とする、請求項１に記載の回路基板。
【請求項７】
前記主制御モジュールに接続されており、プログラムを前記主制御モジュールに書き込むためのＪＴＡＧインタ-フェ-スを更に含むことを特徴とする、請求項１に記載の回路基板。
【請求項８】
前記主制御モジュール、前記第１通信モジュール及び前記第２通信モジュールに接続されている給電モジュールを更に含むことを特徴とする、請求項１に記載の回路基板。
【請求項９】
前記主制御モジュールはＳＴＭ３２Ｆ１０３ＲＣＴ６チップを採用するものであることを特徴とする、請求項１に記載の回路基板。
【請求項１０】
前記第１通信モジュールはＵＬＮ２００３ＡＤＲチップ及びＪＶＡＭインターフェースを採用するものであり、前記第２通信モジュールはＡＤＭ２０２Ｅチップ及びＲＳ２３２インターフェースを採用するものであることを特徴とする、請求項１に記載の回路基板。
【請求項１１】
本体ハウジングと、商品選択ボタンと、ディスプレイと、商品収納室と、回路基板と、を含み、
前記回路基板は、主制御モジュールと、前記主制御モジュールに接続されており、端末と通信して端末に指令を送信する第１通信モジュールと、前記主制御モジュールに接続されており、マスターコンピュータ及び端末と通信して、端末の情報をマスターコンピュータに送信する第２通信モジュールと、を含み、
前記回路基板及び前記商品収納室は前記本体ハウジング内に取付けられており、
前記商品選択ボタン及びディスプレイは、前記本体ハウジングの外面に取付けられている
ことを特徴とする、自動販売機。
【請求項１２】
前記回路基板は給電モジュールを更に含み、前記給電モジュールは前記主制御モジュール、前記第１通信モジュール及び前記第２通信モジュールに接続されていることを特徴とする、請求項１１に記載の自動販売機。
【請求項１３】
前記第１通信モジュールはＵＬＮ２００３ＡＤＲチップ及びＪＶＡＭインターフェースを採用するものであり、前記第２通信モジュールはＡＤＭ２０２Ｅチップ及びＲＳ２３２インターフェースを採用するものであることを特徴とする、請求項１１に記載の自動販売機。
【請求項１４】
前記回路基板は、前記商品選択ボタンが押されたとき、商品のＱＲコードを表示するように前記ディスプレイを制御し、マスターコンピュータからの商品排出指令を受信すると、商品を出すように前記商品収納室を制御することを特徴とする、請求項１１に記載の自動販売機。
【請求項１５】
紙幣送入通路と、硬貨送入通路と、カードリーダーと、コントローラーとを更に含み、
前記商品選択ボタンが押され、購入者によって紙幣、硬貨が投入された又はとカードが読み取られたとき、前記コントローラーは商品を出すように前記商品収納室を制御する
ことを特徴とする、請求項１１に記載の自動販売機。
【請求項１６】
マスターコンピュータと、
本体ハウジングと、商品選択ボタンと、ディスプレイと、商品収納室と、回路基板とを含む自動販売機と、を含み、
前記回路基板は、前記マスターコンピュータと前記自動販売機とを通信可能に接続し、前記マスターコンピュータからの指令を受信して前記自動販売機の作動を制御するものであり、
前記回路基板は、主制御モジュールと、前記主制御モジュールに接続されており、端末と通信して端末に指令を送信する第１通信モジュールと、前記主制御モジュールに接続されており、マスターコンピュータ及び端末と通信して、端末の情報をマスターコンピュータに送信する第２通信モジュールと、を含み、
前記回路基板及び前記商品収納室は前記本体ハウジング内に取付けられており、前記商品選択ボタン及びディスプレイは前記本体ハウジングの外面に取付けられている
ことを特徴とする、自動販売システム。
【請求項１７】
前記回路基板は、前記主制御モジュール、前記第１通信モジュール及び前記第２通信モジュールに接続されている給電モジュールを更に含むことを特徴とする、請求項１６に記載の自動販売システム。
【請求項１８】
前記第１通信モジュールはＵＬＮ２００３ＡＤＲチップ及びＪＶＡＭインターフェースを採用するものであり、前記第２通信モジュールはＡＤＭ２０２Ｅチップ及びＲＳ２３２インターフェースを採用するものであることを特徴とする、請求項１６に記載の自動販売システム。
【請求項１９】
前記回路基板は、前記商品選択ボタンが押されたとき、商品のＱＲコードを表示するように前記ディスプレイを制御し、
前記マスターコンピュータは、支払完成の情報を受信すると、前記回路基板と通信して商品排出指令を送信し、
前記回路基板は、前記マスターコンピュータからの商品排出指令を受信すると、商品を出すように前記商品収納室を制御する、
ことを特徴とする、請求項１６に記載の自動販売システム。
【請求項２０】
前記自動販売機は、紙幣送入通路と、硬貨送入通路と、カードリーダーと、コントローラーと、を含み、
前記商品選択ボタンが押され、購入者によって紙幣、硬貨が投入された又はカードが読み取られた場合、前記コントローラーは、商品を出すように前記商品収納室を制御する
ことを特徴とする、請求項１６に記載の自動販売システム。
【考案の詳細な説明】
【技術分野】
【０００１】
本考案は電子技術分野に関し、特に回路基板、当該回路基板を用いた自動販売機及び自動販売システムに関する。
【背景技術】
【０００２】
従来、日本の販売機などの販売機は、紙幣取扱い装置、硬貨取扱い装置、カードリーダーと接続しかできないため、紙幣、硬貨、またはカードでなければ販売機内の商品の購入ができなく、モバイル決済は利用できない。それゆえ、モバイル決済に慣れており現金やカードを持っていないユーザにとって不便となってしまう。
【考案の概要】
【考案が解決しようとする課題】
【０００３】
これに鑑みて、販売機でモバイル決済を利用できない不備に対して、回路基板、当該回路基板を用いた自動販売機及び自動販売システムを提供することが望まれている。
【課題を解決するための手段】
【０００４】
本考案による回路基板は、主制御モジュールと、前記主制御モジュールに接続されており、端末と通信して指令を端末に送信する第１通信モジュールと、前記主制御モジュールに接続されており、マスターコンピュータ及び端末と通信して、端末の情報をマスターコンピュータに送信する第２通信モジュールと、を含む。
【０００５】
本考案による自動販売機は、本体ハウジングと、商品選択ボタンと、ディスプレイと、商品収納室と、回路基板とを含む。前記回路基板及び前記商品収納室は前記本体ハウジング内に取付けられている。前記商品選択ボタン及びディスプレイは前記本体ハウジングの外面に取付けられている。
【０００６】
本考案による自動販売システムは、マスターコンピュータと自動販売機とを含む。前記自動販売機は、本体ハウジングと、商品選択ボタンと、ディスプレイと、商品収納室と、回路基板とを含む。前記回路基板は、前記マスターコンピュータと前記自動販売機とを通信可能に接続し、前記マスターコンピュータからの指令を受信して前記自動販売機の作動を制御する。
【０００７】
上記の回路基板、当該回路基板を用いた自動販売機及び自動販売システムでは、通信モジュールにより販売機端末とマスターコンピュータとが通信可能に接続されている。購入者によってモバイル決済が選択された場合、前記回路基板は、販売機端末と通信して、ＱＲコード（登録商標）を表示するように販売機端末を制御する。購入者によってＱＲコードがスキャンされてモバイル決済が完成した場合、マスターコンピュータは、前記回路基板と通信して、前記回路基板に商品排出指令を送信する。前記回路基板は販売機端末と通信する。販売機端末は従って商品を出す。従って、販売機でモバイル決済を利用することを実現できた。
【図面の簡単な説明】
【０００８】
本考案の実施例又は先行技術の技術案をより明確にさせるため、次には、実施例又は先行技術の説明に必要な図面を簡単に説明する。下記の図面は本考案の一部の実施例を示すものに過ぎず、当業者にとって、創造力を必要としなく、これらの図面から他の実施例の図面を得られることは言うまでもない。
【０００９】
【図１】本考案の実施例に係る回路基板の模式図である。
【図２】本考案の実施例に係る回路基板の主制御モジュールの回路図である。
【図３】本考案の実施例に係る回路基板の第１通信モジュールの回路図である。
【図４】本考案の実施例に係る回路基板の第２通信モジュールの回路図である。
【図５】本考案の実施例に係る回路基板の指示灯モジュールの回路図である。
【図６】本考案の実施例に係る回路基板のボタンモジュールの回路図である。
【図７】本考案の実施例に係る回路基板の音声提示モジュールの回路図である。
【図８】本考案の実施例に係る回路基板のクロックモジュールの回路図である。
【図９】本考案の実施例に係る回路基板の記憶モジュールの回路図である。
【図１０】本考案の実施例に係る回路基板のＪＴＡＧインターフェースの回路図である。
【図１１】本考案の実施例に係る回路基板の給電モジュールの回路図である。
【考案を実施するための形態】
【００１０】
本考案の目的、技術案及び利点をより明確にさせるため、以下、図面及び実施例を参照しつつ、本考案をより詳しく説明する。ここで述べられている具体的な実施例は本考案を説明するためのものにすぎず、本考案を限定するものではない。
【００１１】
図１は本考案の実施例に係る回路基板の模式図である。本実施例において、前記回路基板は自動販売機に用いられているが、他の実施例においては、本考案の回路基板は他の設備に用いられてもよい。本実施例において、端末としての自動販売機は、市場でよく見られている、紙幣、硬貨で支払い可能な自動販売機であって、基本的に、本体ハウジング、コントローラー、紙幣送入通路、硬貨送入通路、商品収納室、商品選択ボタンから構成され、モバイル決済に対応できないとともに、外部からは、自動販売機の作動状態の判断や、自動販売機の始動、停止、設定についての制御もできない。
【００１２】
本実施例において、前記回路基板は、主制御モジュール１００、第１通信モジュール１１０、第２通信モジュール１２０、指示灯モジュール１３０、ボタンモジュール１４０、音声提示モジュール１５０、クロックモジュール１６０、記憶モジュール１７０、ＪＴＡＧインターフェース１８０、及び給電モジュール１９０を含む。前記第１通信モジュール１１０は、前記主制御モジュール１００に接続されており、自動販売機端末と通信して自動販売機端末に指令を送信する。前記第２通信モジュール１２０は、前記主制御モジュール１００に接続されており、マスターコンピュータ及び自動販売機端末と通信して、自動販売機端末の情報をマスターコンピュータに送信する。
【００１３】
図２は本考案の実施例に係る回路基板の主制御モジュールの回路図である。本実施例において、前記主制御モジュール１００は、ＳＴＭ３２Ｆ１０３ＲＣＴ６チップを採用している。他の実施例において、制御機能を実現できるものであれば他のチップを採用してもよい。
【００１４】
図３は本考案の実施例に係る回路基板の第１通信モジュールの回路図である。本実施例において、前記第１通信モジュール１１０は、前記主制御モジュール１００、及び前記給電モジュール１９０に接続されており、 ＵＬＮ２００３ＡＤＲチップ及びＪＶＡＭインターフェースを採用し、自動販売機端末と通信する。購入者によって商品選択ボタンが押されて商品の購入が行われるとき、前記第１通信モジュール１１０は、選択された商品に対応するＱＲコード情報を表示する指令を自動販売機に通知する。購入者によってＱＲコードがスキャンされてモバイル決済が完成すると、前記第１通信モジュール１１０は、商品代金の課金が完成したことを自動販売機に通知する。そして、自動販売機は商品を出す。他の実施例において、前記第１通信モジュール１１０は、端末との通信及び指令の送信を実現できればよく、他のチップ及びインターフェースを採用してもよい。
【００１５】
図４に示すように、図４は本考案の実施例に係る回路基板の第２通信モジュールの回路図である。本実施例において、前記第２通信モジュール１２０は、前記主制御モジュール１００、及び前記給電モジュール１９０に接続されており、 ＡＤＭ２０２Ｅチップ及びＲＳ２３２インターフェースを採用し、マスターコンピュータ及び自動販売機端末と通信する。前記第２通信モジュール１２０は、自動販売機と通信して、自動販売機に関する例えば売り切れ、故障等の情報を取得し、マスターコンピュータと通信して、自動販売機の関連情報をマスターコンピュータに送信する。
【００１６】
図５は本考案の実施例に係る回路基板の指示灯モジュールの回路図である。本実施例において、前記指示灯モジュール１３０は、前記主制御モジュール１００、及び前記給電モジュール１９０に接続されている。前記指示灯モジュール１３０は端末の作動状態を表示する。本実施例において、前記指示灯モジュール１３０はＬＥＤランプを含むが、当該ＬＥＤランプは前記指示灯モジュールの始動時に、又は自動販売機の状態に応じて点滅する。本実施例において、自動販売機の外部に前記指示灯モジュールを始動させるボタンが設けられており、他の実施例において、前記指示灯モジュールを始動させる他の手段を利用してもよい。前記指示灯モジュールが始動すると、自動販売機が正常に運行している場合、前記指示灯モジュール１３０は一回点滅し、自動販売機が販売停止している場合、前記指示灯モジュール１３０は二回点滅し、自動販売機とマスターコンピュータとの接続が切れている場合、前記指示灯モジュール１３０は三回点滅し、自動販売機がメンテナンスされている場合、前記指示灯モジュール１３０は四回点滅する。他の実施例において、前記指示灯モジュール１３０に対して、異なる要求を満たすように異なる点滅条件を設定してもよい。
【００１７】
図６は本考案の実施例に係る回路基板のボタンモジュールの回路図である。本実施例において、前記ボタンモジュール１４０は、前記主制御モジュール１００、及び前記給電モジュール１９０に接続されており、端末即ち自動販売機の停止、始動及び設定をトリガする。本実施例において、前記ボタンモジュール１４０は、第１ボタン、第２ボタン、第３ボタン及び第４ボタンを含む。前記ボタンモジュール１４０の第１ボタンが押されると、自動販売機は、メンテナンス状態に入り、運転が停止する。メンテナンス状態において自動販売機に対する商品補充、設定変更等の操作を行うことができる。前記ボタンモジュール１４０の第２ボタンが押されると、自動販売機は、メンテナンス状態が終了し、運転が再開される。前記ボタンモジュール１４０の第３ボタンが押されると、メンテナンス段階において自動販売機に対する商品補充が完成したか否かが検証される。前記ボタンモジュール１４０の第４ボタンが押されると、メンテナンス段階において自動販売機に対する設定変更がマスターコンピュータに同期されたか否かが検証される。他の実施例において、前記ボタンモジュール１４０に対して、システムの要求を満たすように様々な機能を設定することができる。
【００１８】
図７は本考案の実施例に係る回路基板の音声提示モジュールの回路図である。本実施例において、前記音声提示モジュール１５０は、前記主制御モジュール１００、及び前記給電モジュール１９０に接続されている。前記音声提示モジュール１５０は端末の作動状態の変化時に音声提示を行うブザーを含む。本実施例において、前記ボタンモジュール１４０の第１ボタンが押されて自動販売機がメンテナンス状態に入る場合、前記音声提示モジュール１５０のブザーは一回鳴る。前記ボタンモジュール１４０の第２ボタンが押されて自動販売機のメンテナンス状態が終了した場合、前記音声提示モジュール１５０のブザーは一回鳴る。前記ボタンモジュール１４０の第３ボタンが押された時に、メンテナンス段階の自動販売機に対する商品補充が完成した場合、前記音声提示モジュール１５０のブザーは一回鳴り、メンテナンス段階の自動販売機に対する商品補充が失敗した場合、前記音声提示モジュール１５０のブザーは二回又は三回鳴る。前記ボタンモジュール１４０の第４ボタンが押された時、メンテナンス段階の自動販売機に対する設定変更がマスターコンピュータに同期完了できた場合、前記音声提示モジュール１５０のブザーは一回鳴り、自動販売機に対する設定変更がマスターコンピュータに同期中の場合、前記音声提示モジュール１５０のブザーは三回鳴る。他の実施例において、前記音声提示モジュール１５０に対して様々な応答条件を設定することができる。
【００１９】
前記指示灯モジュール１３０、前記ボタンモジュール１４０及び前記音声提示モジュールにより、ユーザや作業者は外部から自動販売機の作動状態を判断でき、表示効果がよく、安全性がより高い。また、前記ボタンモジュール１４０により自動販売機の始動、停止及び設定を制御することができるため、より便利になる。
【００２０】
図８は本考案の実施例に係る回路基板のクロックモジュールの回路図である。本実施例において、前記クロックモジュール１６０は、前記主制御モジュール１００、及び前記給電モジュール１９０に接続されており、前記主制御モジュール１００にクロック信号を提供する。本実施例において、前記クロックモジュール１６０はＲＴＣ（Ｒｅａｌ−Ｔｉｍｅ  Ｃｌｏｃｋ）即ちリアルタイムクロックチップを採用する。他の実施例において、他のクロックチップを採用してもよい。
【００２１】
図９は本考案の実施例に係る回路基板の記憶モジュールの回路図である。本実施例において、前記記憶モジュール１７０は、前記主制御モジュール１００、及び前記給電モジュール１９０に接続されており、前記主制御モジュール１００のデータ情報を記憶する。本実施例において、前記記憶モジュール１７０はＥＥＰＲＯＭ（Ｅｌｅｃｔｒｉｃａｌｌｙ  Ｅｒａｓａｂｌｅ  Ｐｒｏｇｒａｍａｂｌｅ  ｒｅａｄ  ｏｎｌｙ  ｍｅｍｏｒｙ）、即ち電気的消去可能でプログラム可能な読み出し専用メモリチップを採用する。他の実施例において、他の記憶チップを採用してもよい。
【００２２】
図１０は本考案の実施例に係る回路基板のＪＴＡＧインターフェースの回路図である。本実施例において、前記ＪＴＡＧ（Ｊｏｉｎｔ  Ｔｅｓｔ  Ａｃｔｉｏｎ  Ｇｒｏｕｐ）インターフェース１８０は、前記主制御モジュール１００、及び前記給電モジュール１９０に接続されており、プログラムを前記主制御モジュール１００に書き込む。他の実施例において、プログラムを書き込む機能を実現できれば他のインターフェースを採用してもよい。
【００２３】
図１１は本考案の実施例に係る回路基板の給電モジュールの回路図である。本実施例において、前記給電モジュール１９０は、前記第１通信モジュール１１０、前記第２通信モジュール１２０、前記指示灯モジュール１３０、前記ボタンモジュール１４０、前記音声提示モジュール１５０、前記クロックモジュール１６０、前記記憶モジュール１７０、前記ＪＴＡＧモジュールに接続されている。
【００２４】
本実施例において、５ピンのピンヘッダーを更に含む。前記ピンヘッダーは、前記主制御モジュール１００に接続されており、前記主制御モジュール１００の予備の通信インターフェースとされる。
【００２５】
前記回路基板は、通信モジュールにより販売機端末とマスターコンピュータとを通信可能に接続する。ユーザによってモバイル決済が選択された場合、前記回路基板は、販売機端末と通信して、ＱＲコードを表示するように販売機端末を制御する。購入者によってＱＲコードがスキャンされてモバイル決済が完成すると、マスターコンピュータは、前記回路基板と通信して、前記回路基板に商品排出指令を送信する。前記回路基板は販売機端末と通信する。これに応じて、販売機端末は商品を出す。これにより、自動販売機ではモバイル決済を利用できることを実現できた。
【００２６】
本考案はまた、本体ハウジング、商品選択ボタン、ディスプレイ、商品収納室、及び前記回路基板を含む自動販売機を更に提供する。前記回路基板及び前記商品収納室は前記本体ハウジング内に取り付けられており、前記商品選択ボタン及びディスプレイは前記本体ハウジングの外部に取り付けられている。
【００２７】
具体的には、前記自動販売機は、紙幣送入通路、硬貨送入通路、カードリーダー及びコントローラーを更に含む。前記商品選択ボタンが押され紙幣、硬貨が投入された又はカードが読み取られた場合、前記コントローラーは商品を出すように前記商品収納室を制御する。前記商品選択ボタンが押されて、商品のＱＲコードを表示するように前記回路基板が前記ディスプレイを制御し、購入者によって商品のＱＲコードがスキャンされて支払いが行われた場合、前記回路基板は、マスターコンピュータからの商品排出指令を受信すると、商品を出すように前記商品収納室を制御する。
【００２８】
本考案は、マスターコンピュータと前記自動販売機とを含む自動販売システムを更に提供する。前記自動販売機は、本体ハウジング、商品選択ボタン、ディスプレイ、商品収納室及び前記回路基板を含む。前記回路基板は、前記マスターコンピュータと前記自動販売機とを通信可能に接続し、前記マスターコンピュータからの指令を受信して前記自動販売機の作動を制御する。
【００２９】
具体的には、前記自動販売機は、紙幣送入通路、硬貨送入通路、カードリーダー及びコントローラーを更に含む。前記商品選択ボタンが押され、購入者によって紙幣、硬貨が投入された又はカードが読み取られた場合、前記コントローラーは商品を出すように前記商品収納室を制御する。前記商品選択ボタンが押されて、前記回路基板は商品のＱＲコードを表示するように前記ディスプレイを制御し、購入者によってＱＲコードがスキャンされて支払いが行われた場合、前記マスターコンピュータは、支払完成の情報を受信すると、前記回路基板と通信して、商品排出指令を送信する。前記回路基板は、前記マスターコンピュータからの商品排出指令を受信すると、商品を出すように前記商品収納室を制御する。
【００３０】
前記回路基板、当該回路基板を用いた自動販売機及び自動販売システムは、通信モジュールにより販売機端末とマスターコンピュータとを通信可能に接続する。購入者によってモバイル決済が選択された場合、前記回路基板は、販売機端末と通信して、商品のＱＲコードを表示するように販売機端末を制御する。購入者によってＱＲコードがスキャンされてモバイル決済が完成すると、マスターコンピュータは、前記回路基板と通信して、前記回路基板に商品排出指令を送信する。前記回路基板は販売機端末と通信する。そして、販売機端末は商品を出す。これにより、販売機でモバイル決済を利用することができる。
【００３１】
前記実施例により、本考案のいくつかの実施形態を具体的且つ詳細に説明したが、本考案はこれらに限定されていない。当業者にとって、本考案の精神を逸脱しないかぎり、各種の変形や改良も本考案の保護範囲に含まれる。よって、本考案の保護範囲は、請求項の特定した範囲を基準とする。
【図１】
0003232330.tif 000003
【図２】
0003232330.tif 000004
【図３】
0003232330.tif 000005
【図４】
0003232330.tif 000006
【図５】
0003232330.tif 000007
【図６】
0003232330.tif 000008
【図７】
0003232330.tif 000009
【図８】
0003232330.tif 000010
【図９】
0003232330.tif 000011
【図１０】
0003232330.tif 000012
【図１１】
0003232330.tif 000013
【手続補正書】
【提出日】令和3年3月31日(2021.3.31)
【手続補正１】
【補正対象書類名】実用新案登録請求の範囲
【補正対象項目名】全文
【補正方法】変更
【補正の内容】
【実用新案登録請求の範囲】
【請求項１】
主制御モジュールと、
前記主制御モジュールに接続されており、端末と通信して指令を端末に送信する第１通信モジュールと、
前記主制御モジュールに接続されており、マスターコンピュータ及び端末と通信して、端末の情報をマスターコンピュータに送信する第２通信モジュールと
を含むことを特徴とする回路基板。
【請求項２】
前記主制御モジュールに接続されており、端末の作動状態を表示する指示灯モジュールを更に含むことを特徴とする、請求項１に記載の回路基板。
【請求項３】
前記主制御モジュールに接続されており、端末の停止及び始動ををトリガするボタンモジュールを更に含むことを特徴とする、請求項２に記載の回路基板。
【請求項４】
前記主制御モジュールに接続されており、端末の作動状態の変化時に音声提示を行う音声提示モジュールを更に含むことを特徴とする、請求項３に記載の回路基板。
【請求項５】
前記主制御モジュールに接続されており、前記主制御モジュールにクロック信号を提供するクロックモジュールを更に含むことを特徴とする、請求項１に記載の回路基板。
【請求項６】
前記主制御モジュールに接続されており、前記主制御モジュールのデータ情報を記憶する記憶モジュールを更に含むことを特徴とする、請求項１に記載の回路基板。
【請求項７】
前記主制御モジュールに接続されており、プログラムを前記主制御モジュールに書き込むためのＪＴＡＧインタ-フェ-スを更に含むことを特徴とする、請求項１に記載の回路基板。
【請求項８】
前記主制御モジュール、前記第１通信モジュール及び前記第２通信モジュールに接続されている給電モジュールを更に含むことを特徴とする、請求項１に記載の回路基板。
【請求項９】
前記主制御モジュールはＳＴＭ３２Ｆ１０３ＲＣＴ６チップを採用するものであることを特徴とする、請求項１に記載の回路基板。
【請求項１０】
前記第１通信モジュールはＵＬＮ２００３ＡＤＲチップ及びＪＶＡＭインターフェースを採用するものであり、前記第２通信モジュールはＡＤＭ２０２Ｅチップ及びＲＳ２３２インターフェースを採用するものであることを特徴とする、請求項１に記載の回路基板。
【請求項１１】
本体ハウジングと、商品選択ボタンと、ディスプレイと、商品収納室と、回路基板と、を含み、
前記回路基板は、主制御モジュールと、前記主制御モジュールに接続されており、端末と通信して端末に指令を送信する第１通信モジュールと、前記主制御モジュールに接続されており、マスターコンピュータ及び端末と通信して、端末の情報をマスターコンピュータに送信する第２通信モジュールと、を含み、
前記回路基板及び前記商品収納室は前記本体ハウジング内に取付けられており、
前記商品選択ボタン及びディスプレイは、前記本体ハウジングの外面に取付けられている
ことを特徴とする、自動販売機。
【請求項１２】
前記回路基板は給電モジュールを更に含み、前記給電モジュールは前記主制御モジュール、前記第１通信モジュール及び前記第２通信モジュールに接続されていることを特徴とする、請求項１１に記載の自動販売機。
【請求項１３】
前記第１通信モジュールはＵＬＮ２００３ＡＤＲチップ及びＪＶＡＭインターフェースを採用するものであり、前記第２通信モジュールはＡＤＭ２０２Ｅチップ及びＲＳ２３２インターフェースを採用するものであることを特徴とする、請求項１１に記載の自動販売機。
【請求項１４】
前記回路基板は、前記商品選択ボタンが押されたとき、商品のＱＲコード（登録商標）を表示するように前記ディスプレイを制御し、マスターコンピュータからの商品排出指令を受信すると、商品を出すように前記商品収納室を制御することを特徴とする、請求項１１に記載の自動販売機。
【請求項１５】
紙幣送入通路と、硬貨送入通路と、カードリーダーと、コントローラーとを更に含み、
前記商品選択ボタンが押され、購入者によって紙幣、硬貨が投入された又はカードが読み取られたとき、前記コントローラーは商品を出すように前記商品収納室を制御する
ことを特徴とする、請求項１１に記載の自動販売機。
【請求項１６】
マスターコンピュータと、
本体ハウジングと、商品選択ボタンと、ディスプレイと、商品収納室と、回路基板とを含む自動販売機と、を含み、
前記回路基板は、前記マスターコンピュータと前記自動販売機とを通信可能に接続し、前記マスターコンピュータからの指令を受信して前記自動販売機の作動を制御するものであり、
前記回路基板は、主制御モジュールと、前記主制御モジュールに接続されており、端末と通信して端末に指令を送信する第１通信モジュールと、前記主制御モジュールに接続されており、マスターコンピュータ及び端末と通信して、端末の情報をマスターコンピュータに送信する第２通信モジュールと、を含み、
前記回路基板及び前記商品収納室は前記本体ハウジング内に取付けられており、前記商品選択ボタン及びディスプレイは前記本体ハウジングの外面に取付けられている
ことを特徴とする、自動販売システム。
【請求項１７】
前記回路基板は、前記主制御モジュール、前記第１通信モジュール及び前記第２通信モジュールに接続されている給電モジュールを更に含むことを特徴とする、請求項１６に記載の自動販売システム。
【請求項１８】
前記第１通信モジュールはＵＬＮ２００３ＡＤＲチップ及びＪＶＡＭインターフェースを採用するものであり、前記第２通信モジュールはＡＤＭ２０２Ｅチップ及びＲＳ２３２インターフェースを採用するものであることを特徴とする、請求項１６に記載の自動販売システム。
【請求項１９】
前記回路基板は、前記商品選択ボタンが押されたとき、商品のＱＲコード（登録商標）を表示するように前記ディスプレイを制御し、
前記マスターコンピュータは、支払完成の情報を受信すると、前記回路基板と通信して商品排出指令を送信し、
前記回路基板は、前記マスターコンピュータからの商品排出指令を受信すると、商品を出すように前記商品収納室を制御する、
ことを特徴とする、請求項１６に記載の自動販売システム。
【請求項２０】
前記自動販売機は、紙幣送入通路と、硬貨送入通路と、カードリーダーと、コントローラーと、を含み、
前記商品選択ボタンが押され、購入者によって紙幣、硬貨が投入された又はカードが読み取られた場合、前記コントローラーは、商品を出すように前記商品収納室を制御する
ことを特徴とする、請求項１６に記載の自動販売システム。